(57)【要約】      （修正有）【課題】左右・前後・上下に均衡するクランク軸回転体を人力操作で回転させ、その回転力を利用した万能発電装置を提供する。【解決手段】縦軸１の中央中心(以下Ｐ点という)の周辺に動力伝達機構２を設け、またＰ点の同一平面上下左右に該縦軸１に直角に突出したアームと錘３を固着装備したクランク軸回転体５と、該クランク軸回転体５の傾斜機能を装備した筒状横軸４と台座７とを各軸受け６で各々接続支持した筒状横軸支持機構とで構成され、該縦軸１の中心Ｐ点を通る垂直線と該筒状横軸４の回転軸の中心を通る水平線をＰ点で直交させ且クランク軸回転体５の軸がＰ点を中心として前後に傾斜するように該台座７と該筒状横軸機構の各軸受け６で支持させ、人力操作またはロボットにより該クランク軸回転体５の該アームと錘３の支点(回転)位置を傾斜による移動で回転させた回転力を該動力伝達機構２で回転子へ伝達する。【選択図】図２
0003208770.tif 000002
【実用新案登録請求の範囲】
【請求項１】
縦軸の中央中心Ｐ(以下Ｐ点という)の周辺に動力伝達機構をまたＰ点の同一平面上下左右に一組の該縦軸に直角に突出したアームと錘を固着装備したクランク軸回転体と、
該クランク軸回転体を該動力伝達機構の通過スペースが可能で又該クランク軸回転体の傾斜機能を装備した筒状横軸と台座とで各軸受けで各々接続支持した筒状横軸支持機構とで構成され、
該クランク回転体の該縦軸の中心Ｐ点を通る垂直線と該筒状横軸の回転軸の中心を通る水平線をＰ点で直交させ且クランク軸回転体の軸がＰ点を中心として前後に傾斜するように該台座と該筒状横軸機構の各軸受けで支持させ、人力操作とロボットにより該クランク軸回転体の該アームと錘の支点(回転)位置を傾斜による移動で回転させた回転力を該筒状横軸のスペース内を通り該動力伝動機構で回転子へ伝達することを特徴とする万能発電装置。
【考案の詳細な説明】
【技術分野】
【０００１】
本考案は、「幅」「奥行」「高さ」の広がりを持つ剛体の水平に回る円運動と回転体の動力に関するもので、左右・前後・上下に均衡する剛体(クランク軸回転体)を人力操作で安易に傾斜・運動・移動させてその剛体自身を回転させその回転力を発電装置に利用しようとするもので、まずは競技用にエコ生活拠点用にさらには一般利用に社会に役立てようとするものである。
【背景技術】
【０００２】
回転力は風水火石原子力など様々な方法で獲得されてきた。
【０００３】
しかし風水以外は問題点や欠陥が見つかった。
【０００４】
風水についてさえ、自然環境は意のままにはならない。
【０００５】
地上での剛体の運動は力の働き通りに動くのが原則、でも物の時と場合と状態により様々でその物による様々な規則性があることに注目し、本考案はそのような剛体を大型化し見える化し実感触化しその可能性を追求しその形状・構造・組み合わせを具現化させようとするものである。
【先行技術文献】
【特許文献】
【０００６】
【特許文献１】特開２０１５−２１８７２１号公報
【特許文献２】登録実用新案第３１６４１７０号公報
【考案の概要】
【考案が解決しようとする課題】
【０００７】
本願クランク軸回転体は物品の形状構造組み合わせた物品その物であり、その操作は人力(体力＋脳力＋アルファ)である。永久機関でもなく自然法則その物でもなく反しないし保存則にも反さない。考案が解決しようとする課題は次です。
１、発想は自転車を横にしてクランク軸を垂直にペダルに錘、回転を地面と平行に。
２、人力操作を容易にするには、左右上下前後を均衡にして軸を傾斜し回転させる。
３、回転体全体を空中浮揚状態に、摩擦のみで人力で安易に操作できるよう支える。
４、人力操作で回転させるのでなく回転の規則性に従い、後は人力技量に任せる。
５、人力限界２００ｋＷ超が可能か、体力脳力を最大限発揮、ロボット導入も視野に。
【課題を解決するための手段】
【０００８】
クランク軸回転体は縦軸の中央中心Ｐ(以下Ｐ点という)の周辺に動力伝達機構をまたＰ点の同一平面上下左右に一組の該縦軸に直角に突出したアームと錘を固着装備したことで人力操作が容易で課題を解決している。
筒状横軸支持機構は該クランク軸回転体の軸受と台座との軸受を装備して該動力伝達機構の伝達ができる内部空間の十分ある筒状横軸に人力操作する該クランク軸回転体を傾斜させる器具を装備したことで人力操作が容易で問題を解決している。
万能発電装置は該クランク回転体の該縦軸の中心Ｐ点を通る垂直線と該筒状横軸の回転軸の中心を通る水平線をＰ点で直交させ且クランク軸回転体の軸がＰ点を中心として前後に傾斜するように該台座と該筒状横軸と該クランク軸回転体の各軸受けで支持させ、該人力操作により該クランク軸回転体のアームと錘の支点(回転)位置を傾斜による移動で回転させ歯車などの回転力を該筒状横軸の内部空間を通り該動力伝動機構で回転子へ伝達することができ課題を解決している。又人力操作の上下運動はクランクの回転状態の規則性が大型なのを観察実感触し易く、加速減速自在、負荷にも対応でき、ロボットなどに代替えして行うことも可能と判断しているので課題を解決している。
【考案の効果】
【０００９】
本考案の運動体は軽快に回転する、小型試作機(回転半径０，５ｍ)ではシーソーも操者も回転も順調、アームと錘の動きを観察し入力位置を、直接あるいは近傍で常に観測確認でき負荷にも十分対応できる。シーソー操法などロボット化も可能。
【図面の簡単な説明】
【００１０】
【図１】概略イメージ図である。(実施例１−００１２)
【図２】概略正左右側面図の一例である。（実施例１−００１３）
【図３】概略平面図の一例である。（実施例１−００１４）
【図４】全体の側面図と横側面である。（実施例１−００１５）
【図５】クランク軸回転体の運動側面図である。(実施例１−００１６)
【図６】クランク軸回転体の運動平面図と俯瞰図である。(実施例１−００１７)
【図７】時間経過に伴うクランク軸回転体の側面図である。(実施例１−００１８)
【考案を実施するための形態】
【００１１】
見える化実感触化での大型化について、回転半径は大きいほど角速度もトルクも大で目視・実体験もしやすい、出願者の資力に限定され直径１ｍ位での実体験結果である。今後は試作機シミュレーションなどののち実施したい。
【実施例１】
【００１２】
図１筒軸へのシーソー取り付け位置はどこでも、人力操作はシーソーに限らずクランク軸回転体の軸の傾斜ができればよく所望次第。シーソーふり幅の上下幅に枠、ストッパー・ブレーキ・安全装置・速度調整装置などつける。
【００１３】
図２は一例であり筒状横軸でなくフレームと軸での対応などクランク回転体の縦軸Ｐ点での垂直水平且前後傾斜で均衡状態を担保されれば構造形状組み合わせを問わない。クランク軸回転体が摩擦のみでその他の力の作用がないか確かめて操作する。各軸受については抵抗がすくなければ良く代替え部品でもよい。
【００１４】
図３回転子への経路図であり伝動機具はチェーン・Ｖベルト何でもよい用途に合わせる。筒軸内の経路に限らずフレームと軸で支持の時は外側になるが形状構造組み合わせにより筒軸内と限定はしないし方法は問わない。
【００１５】
図４、請求項１をホローする意味での作図で左右はＸであり、上下はＹであり、前後はＺである。本考案の真骨頂で各形状の物品と構造物を組み合わせその真価を発揮させるツールとするため欠かせない検証事である。
【００１６】
図５当初はかなりの回転状態でないとうまく作用反応しない。回転体のアームと錘は縦軸の傾斜に即応し、自然法則に支配されローテーションされている、加減速負荷対応はピッチ次第で操者の負担は僅かと目視実体験した。安易な位置移動だけで回転させたわけで操作テクニック能力次第で大きな仕事をしたと目視実体験した。
【００１７】
図６クランク回転体の上下のアームと錘の平面図である。上下のアームと錘の更に上から俯瞰すれば図の通りとなる。
【００１８】
図７(イ)回転軸平面、腕錘が２通過直前後に素早くＡ→Ｂとし一時停止し、同じく４通過でＢ→Ａとし一時停止以後繰り返す。(ロ)回転側面、上下の腕錘は図のとおり上り続けるか下り続けるかのどちらかで回転の根源である、図の場合は上側が上りで下側が下りである。(ハ)漕ぎ手側面、漕ぎ手がシーソーを容易に調子よく上下しているから、アームと錘が大なら目視実感し稼働記録も、加速減速随意負荷にも対応し漕ぎ手の能力次第、その技術はロボット化などにもそしてさらに大型化も可能になる。
【産業上の利用可能性】
【００１９】
手始めに競技用にエコ生活体験拠点で実体験しエコの素晴らしさを社会的に共有し更に操作のロボット化など一般にも普及させたい。
【符号の説明】
【００２０】
１  縦軸
２  伝動機具
３  アームと錘(１+２+３=クランク軸回転体)
４  筒状横軸
５  クランク回転体と筒状横軸の軸受
６  筒状横軸と台座の軸受
７  台座      
８  シーソー板  (５＋６＋７＋８＝筒状横軸支持機構)        
９  万能発電装置
Ｘは左右    Ｙは上下    Ｚは前後
【図１】
0003208770.tif 000003
【図２】
0003208770.tif 000004
【図３】
0003208770.tif 000005
【図４】
0003208770.tif 000006
【図５】
0003208770.tif 000007
【図６】
0003208770.tif 000008
【図７】
0003208770.tif 000009